(57)【要約】【課題】  三つ折りや二つ折り印刷の場合でも三つ折りや二つ折りされた印刷用紙を開いて内容を確認することなく仕分けを可能とする印刷制御装置および方法およびプログラムを提供する。【解決手段】  クライアントＰＣ１０からネットワーク２０を通じてプリントサーバ３０内のジョブ受付部３２で印刷する文書に対して紙折りの指示を含み、かつバナー情報の印刷指示を含む印刷ジョブを受け付け、プリントサーバ３０内において、トレイに排出された折った状態の用紙の上面に前記バナー情報が印刷されるように前記バナー情報の印刷面を設定する。【選択図】  図１
2005242464.tif 000002
【特許請求の範囲】
【請求項１】
印刷済み用紙を三つ折りもしくは二つ折りする紙折り装置を後処理装置として備え、前記紙折り装置に対する紙折り指示を含む印刷に際しては、印刷済用紙を該紙折り装置で該紙折り指示に対応した折り方で折った状態でトレイに排出する印刷装置を制御する印刷制御装置において、
印刷ジョブを受け付ける印刷ジョブ受付手段と、
前記印刷ジョブ受付手段で受け付けた印刷ジョブが紙折り指示を含み、かつバナー情報の印刷指示を含む場合は、前記トレイに排出された折った状態の用紙の上面に前記バナー情報が印刷されるように前記バナー情報の印刷面を設定した印刷情報を形成するジョブ処理手段と、
前記ジョブ処理手段で形成された印刷情報を前記印刷装置に指示する印刷指示手段と
を具備することを特徴とする印刷制御装置。
【請求項２】
前記ジョブ処理手段は、
前記バナー情報を印刷するバナー用紙の折り方を文書を印刷した用紙の折り方と異ならせて設定する
ことを特徴とする請求項１記載の印刷制御装置。
【請求項３】
前記ジョブ処理手段は、
前記バナー情報を文書を印刷した用紙の裏面に印刷するように設定する
ことを特徴とする請求項１記載の印刷制御装置。
【請求項４】
印刷済み用紙を三つ折りもしくは二つ折りする紙折り装置を後処理装置として備え、前記紙折り装置に対する紙折り指示を含む印刷に際しては、印刷済み用紙を該紙折り装置で該紙折り指示に対応した折り方で折った状態でトレイに排出する印刷装置を制御する印刷制御装置の印刷制御方法において、
印刷ジョブを印刷ジョブ受付手段で受け付け、
前記印刷ジョブ受付手段で受け付けた印刷ジョブが紙折り指示を含み、かつバナー情報の印刷指示を含む場合は、前記トレイに排出された折った状態の用紙の上面に前記バナー情報が印刷されるように前記バナー情報の印刷面を設定した印刷情報をジョブ処理手段により形成し、
前記ジョブ処理手段で形成された印刷情報を前記印刷装置に印刷指示手段により指示する
ことを特徴とする印刷制御方法。
【請求項５】
印刷済み用紙を三つ折りもしくは二つ折りする紙折り装置を後処理装置として備え、前記紙折り装置に対する紙折り指示を含む印刷に際しては、印刷済用紙を該紙折り装置で該紙折り指示に対応した折り方で折った状態でトレイに排出する印刷装置を制御する印刷制御装置の印刷制御をコンピュータに実行させる印刷制御プログラムにおいて、
印刷ジョブを受け付けるステップと、
該印刷ジョブが紙折り指示を含み、かつバナー情報の印刷指示を含む場合は、前記トレイに排出された折った状態の用紙の上面に前記バナー情報が印刷されるように前記バナー情報の印刷面を設定した印刷情報を形成するステップと、
該印刷情報を前記印刷装置に指示するステップと
を含むことを特徴とする印刷制御プログラム。
【発明の詳細な説明】
【技術分野】
【０００１】
本発明は、印刷済み用紙を三つ折りもしくは二つ折りする紙折り装置を後処理装置として備えた印刷装置を制御する印刷制御装置及び方法及びプログラムに関し、特に、三つ折りや二つ折り印刷の場合でも三つ折りや二つ折りされた印刷用紙を開いて内容を確認することなく仕分けを可能とする印刷制御装置および方法およびプログラムに関する。
【背景技術】
【０００２】
プリンタ、ファクシミリ装置、複写機等の出力装置の排紙装置は有限であるため、一つの排紙装置に複数のジョブを出力する場合、同一排紙装置に出力された用紙はどんどん積み重ねられ、出力された個々のジョブを区分するのが困難である。
【０００３】
さらに、三つ折りや二つ折り印刷の場合、印字面が内側片面であると印刷内容を確認できないため誰が出力したものかを特定することが困難である。
【０００４】
したがって、印刷用紙を仕分けする場合は三つ折りや二つ折りを開いて内容を確認しなければならなかった。
【０００５】
上述のごとき問題を解決するために、従来、（１）仕分けの方法として位置をずらして用紙を重ねることでジョブごとの区切りをつける方法があり、（２）バナー用紙を用いてジョブ区切りを明確にする方法がある。
【０００６】
特許文献１に開示された排紙処理方法においては、プリンタ、ファクシミリ、複写機等出力装置の排紙処理において、各印刷ジョブの先頭又は最後の用紙に、該用紙からはみ出すように、付箋を剥離可能に付することで、複数のジョブが順次重ねられて排紙される場合において、各ジョブ区分を見やすくすることができる。
【特許文献１】特開平１０−８７１４８
【発明の開示】
【発明が解決しようとする課題】
【０００７】
しかし、前述した（１）の方法では揃えてしまうとジョブの区切りが見つけられなくなるという欠点があり、（２）の方法でも印字面が内側片面ではバナーとしての効果は発揮できなかった。
【０００８】
また、バナー用紙のみ紙折りしない方法も考えられるが、三つ折り、二つ折りされた用紙は紙折り専用の排出口から出力されるので、バナーとして紙折りされていない用紙を三つ折り、二つ折りされた用紙を同一の排出口から出力することが出来ない。
【０００９】
また、特許文献１に開示された排紙処理方法においては、三つ折り、二つ折りを考慮した構成は採用されておらず、前述したような付箋を剥離可能に付する処理を三つ折り、二つ折りされる印刷用紙に対して行うことは困難である。
【００１０】
そこで、本発明は、三つ折りや二つ折り印刷の場合でも三つ折りや二つ折りされた印刷用紙を開いて内容を確認することなく仕分けを可能とする印刷制御装置および方法およびプログラムに関する。
【課題を解決するための手段】
【００１１】
上記目的を達成するため、請求項１の発明は、印刷済み用紙を三つ折りもしくは二つ折りする紙折り装置を後処理装置として備え、前記紙折り装置に対する紙折り指示を含む印刷に際しては、印刷済用紙を該紙折り装置で該紙折り指示に対応した折り方で折った状態でトレイに排出する印刷装置を制御する印刷制御装置において、印刷ジョブを受け付ける印刷ジョブ受付手段と、前記印刷ジョブ受付手段で受け付けた印刷ジョブが紙折り指示を含み、かつバナー情報の印刷指示を含む場合は、前記トレイに排出された折った状態の用紙の上面に前記バナー情報が印刷されるように前記バナー情報の印刷面を設定した印刷情報を形成するジョブ処理手段と、前記ジョブ処理手段で形成された印刷情報を前記印刷装置に指示する印刷指示手段とを具備することを特徴とする。
【００１２】
また、請求項２の発明は、請求項１の発明において、前記ジョブ処理手段は、前記バナー情報を印刷するバナー用紙の折り方を文書を印刷した用紙の折り方と異ならせて設定することを特徴とする。
【００１３】
また、請求項３の発明は、請求項１の発明において、前記ジョブ処理手段は、前記バナー情報を文書を印刷した用紙の裏面に印刷するように設定することを特徴とする。
【００１４】
また、請求項４の発明は、印刷済み用紙を三つ折りもしくは二つ折りする紙折り装置を後処理装置として備え、前記紙折り装置に対する紙折り指示を含む印刷に際しては、印刷済み用紙を該紙折り装置で該紙折り指示に対応した折り方で折った状態でトレイに排出する印刷装置を制御する印刷制御装置の印刷制御方法において、印刷ジョブを印刷ジョブ受付手段で受け付け、前記印刷ジョブ受付手段で受け付けた印刷ジョブが紙折り指示を含み、かつバナー情報の印刷指示を含む場合は、前記トレイに排出された折った状態の用紙の上面に前記バナー情報が印刷されるように前記バナー情報の印刷面を設定した印刷情報をジョブ処理手段により形成し、前記ジョブ処理手段で形成された印刷情報を前記印刷装置に印刷指示手段により指示することを特徴とする。
【００１５】
また、請求項５の発明は、印刷済み用紙を三つ折りもしくは二つ折りする紙折り装置を後処理装置として備え、前記紙折り装置に対する紙折り指示を含む印刷に際しては、印刷済用紙を該紙折り装置で該紙折り指示に対応した折り方で折った状態でトレイに排出する印刷装置を制御する印刷制御装置の印刷制御をコンピュータに実行させる印刷制御プログラムにおいて、印刷ジョブを受け付けるステップと、前記印刷ジョブ受付手段で受け付けた印刷ジョブが紙折り指示を含み、かつバナー情報の印刷指示を含む場合は、前記トレイに排出された折った状態の用紙の上面に前記バナー情報が印刷されるように前記バナー情報の印刷面を設定した印刷情報を形成するステップと、前記ジョブ処理手段で形成された印刷情報を前記印刷装置に指示するステップとを含むことを特徴とする。
【発明の効果】
【００１６】
本発明の印刷制御装置及び方法及びプログラムによれば、印刷ジョブ受付手段で受け付けた印刷ジョブが紙折り指示を含み、かつバナー情報の印刷指示を含む場合に、前記トレイに排出された折った状態の用紙の上面に前記バナー情報が印刷されるように前記バナー情報の印刷面を設定した印刷情報を形成するように構成したので、三つ折り、二つ折りされる印刷用紙に対応してバナー情報が印刷された用紙を出力することで内側印字された場合でも内容を確認することなく三つ折り、二つ折りされる印刷用紙の仕分けが可能となる。
【発明を実施するための最良の形態】
【００１７】
以下、本発明に係わる印刷制御装置及び方法及びプログラムの実施例を添付図面を参照して詳細に説明する。
【００１８】
図１は、本発明に係わる印刷制御装置及び方法及びプログラムを適用して構成した印刷制御システム１００の一実施例を示すブロック図である。
【００１９】
図１において、この印刷制御システム１００は、複数のクライアントＰＣ（パーソナルコンピュータ）１０−１、１０−２、…１０−ｎ（以下「クライアントＰＣ１０」という。）と、プリントサーバ３０とがネットワーク２０を介して接続され、プリントサーバ３０にはプリンタ４０が接続されて構成される。
【００２０】
ここで、プリンタ４０は、プリンタサーバ３０に直接接続されずに、ネットワーク２０を介して接続されていてもよい。
【００２１】
また、プリンタ４０は後処理装置として紙折り装置４１を有しており、プリンタ４０によって印刷出力された印刷済の用紙はこの紙折り装置４１で所望の折り方法で折られて排紙されるように構成されている。
【００２２】
プリントサーバ３０は、ユーザのバナー要求を受け付ける画面をクライアントＰＣ１０に表示させるユーザーインターフェイス表示部（以下、「Ｕ／Ｉ表示部」という。）３１と、クライアントＰＣ１０からの印刷ジョブを受け付けるジョブ受付部３２と、受け付けたジョブを管理するジョブ管理部３３と、各ジョブについての設定を処理するジョブ処理部３４と、印刷ジョブを蓄積する印刷要求部３５と、プリンタ５０に対する印刷出力の制御を行うプリンタ制御部３６と、プリントサーバ内の各部の制御を行う制御部３７とで構成される。
【００２３】
このように構成された印刷制御システム１００は、Ｕ／Ｉ表示部３１によってユーザのバナー要求を受け付けるユーザーインターフェイス画面（以下、「Ｕ／Ｉ画面」という。）をクライアントＰＣ１０に表示させる。
【００２４】
クライアントＰＣ１０では、この表示されたＵ／Ｉ画面上においてバナー要求を行う。
【００２５】
この印刷要求に対してプリントサーバ３０において印刷制御処理が行われ、プリンタ４０に印刷指示が送られる。
【００２６】
プリンタ４０では、このプリントサーバ３０からの印刷指示により、印刷と印刷された用紙の紙折り装置４１による折り処理が行われる。
【００２７】
さて、この実施例の印刷制御システムの詳細処理を説明する前に、この実施例で採用する三つ折りの折モードと印刷印字面について説明する。
【００２８】
まず、図２を参照して三つ折りの折りモードを説明する。
【００２９】
図２（ａ）に示されるように、用紙をＣ折りにする折り方で三つ折りされた状態２０１をこの明細書では「内三つ折り」と定義する。
【００３０】
図２（ｂ）に示されるように、用紙をＺ折りにする折り方で三つ折りされた状態２０２をこの明細書では「外三つ折り」と定義する。
【００３１】
内三つ折り、外三つ折り共に、折り線によって用紙の面積が三等分されるように折られる。
【００３２】
次に、図３を参照して印刷印字面を説明する。
【００３３】
図３は用紙が二つ折りもしくは三つ折りされる時、印刷印字面が内側印字と外側印字になる状態を説明した模式図である。
【００３４】
この明細書で内側印字と外側印字の違いは、トレイに排出された折った状態の用紙の上面にバナー情報が印刷されているか否かを問題にしている。
【００３５】
すなわち、図３（ａ）を参照して内側印字を説明する。
【００３６】
内側印字の時には、プリンタより後処理された用紙が排紙されトレイにストックされた時に、用紙の上面は白紙となっている。
【００３７】
状態３０１は印刷された用紙が二つ折りの内側印字で排紙されており、用紙の上面が白紙の状態で排紙されている。
【００３８】
状態３０２においては、印刷された用紙が外三つ折りの内側印字で排紙されており、用紙の上面が白紙の状態で排紙されている。
【００３９】
状態３０３においては、印刷された用紙が内三つ折りの内側印字で排紙されており、用紙の上面が白紙の状態で排紙されている。
【００４０】
次に、図３（ｂ）を参照して外側印字を説明する。
【００４１】
外側印字の時には、プリンタより後処理された用紙が排紙されストックされた時に、用紙の上面に印刷情報が印刷されている。
【００４２】
状態３０４は印刷された用紙が二つ折りの外側印字で排紙されており、用紙の上面にアルファベットのＡの文字が印刷された状態で排紙されている。
【００４３】
状態３０５においては、印刷された用紙が外三つ折りの外側印字で排紙されており、用紙の上面にアルファベットのＡの文字が印刷されている。
【００４４】
状態３０６においては、印刷された用紙が内三つ折りの外側印字で排紙されており、用紙の上面にアルファベットのＡの文字が印刷された状態で排紙されている。
【００４５】
外側印字を説明した状態３０４及至３０６においては、プリンタより排紙されトレイにストックされたときに、用紙の上面にアルファベットのＡの文字が印刷されており、ユーザが排紙装置のトレイにストックされた用紙を見るとアルファベットのＡの文字が印刷された紙面が視認される。
【実施例１】
【００４６】
本実施例においては、印刷用紙が三つ折りで排紙される時に、印刷用紙を仕分ける為のバナーの種類を、バナー用紙を出力しバナー用紙の折り方は印刷用紙と逆の三つ折りにしバナー情報をバナー用紙に外側印字で印刷させ排紙させる種類のバナー出力について説明する。
【００４７】
図４（ａ）には、印刷用紙の折り方が内三つ折りでトレイに排紙される場合において本実施例を適用したバナー出力の様子を示している。
【００４８】
矢印の向きはプリンタのトレイにストックされる順番であり、内三つ折りで折られた印刷用紙４０１の上に外三つ折りで折られ排紙されたバナー用紙４０２が重なり、次に内三つ折りで折られた印刷用紙４０３が排紙されてバナー用紙４０２に重なり、次に内三つ折りで折られた印刷用紙４０４が排紙されて印刷用紙４０３に重なり、次に内三つ折りで折られた印刷用紙４０５が排紙されて印刷用紙４０４に重なり、次に外三つ折りで折られたバナー用紙４０６が排紙されて印刷用紙４０５に重なりトレイにストックされている。
【００４９】
この状態ではバナー情報が外側印字されているので、プリンタのトレイにはバナー情報が用紙の上面に印字されたバナー用紙がストックされ、ユーザが排紙装置から印刷用紙を仕分ける時にバナー情報を視認しやすい。
【００５０】
図４（ｂ）には、排紙される用紙の向きが図４（ａ）と上下逆向きでトレイに排紙された状態を示す。
【００５１】
その際、バナー用紙も印刷用紙と同様に上下逆になって排紙されると、バナー情報が用紙の下面に印刷された状態で排紙され、ユーザが排紙装置から印刷用紙を仕分けるときにバナー情報を視認しづらい。
【００５２】
そこで、本実施例においては、印刷用紙が逆向きに排出される時でも、バナー用紙に関しては、バナー情報が常に用紙の上面に印刷される外側印字で排紙されるように設定されており、ユーザが排紙装置から印刷用紙を仕分けるときにバナー情報を視認しやすい。
【００５３】
次に、本実施例による印刷制御処理の詳細を図５のフローチャートを参照しながら説明する。
【００５４】
まず、図１に示した印刷制御システム１００において、ユーザはクライアントＰＣ１０を通してプリントサーバ３０にＵ／Ｉ画面の表示を要求し、クライアントＰＣ１０の画面上にユーザからのバナー要求を受け付ける図６に示されるＵ／Ｉ画面６０１が表示される（ステップ５０１）。
【００５５】
図６に示すように、Ｕ／Ｉ画面６０１内には折り設定タブ６０２、その他タブ６０３が存在し、Ｕ／Ｉ画面６０１上で折り設定タブ６０２が選択された状態で表示されている。
【００５６】
その他タブ６０３内には、本実施例以外の印刷制御に関してＵ／Ｉ画面が必要なときに表示される。
【００５７】
折り設定タブ６０２内には、印刷用紙の三つ折りの折り方を設定する項目６３０と、印刷用紙の二つ折りの印字方法を設定する項目６３１と、バナー用紙を出力する位置を設定する項目６３２と、三つ折りのバナーの種類を設定する項目６３３と、二つ折りのバナーの種類を設定する項目６３４とが表示されている。
【００５８】
このＵ／Ｉ画面６０１においては、ユーザにより、印刷用紙の折り方は内三つ折りにして、バナーの種類は本実施例のバナー１となるように選択されている。
【００５９】
印刷用紙の三つ折りの折り方を設定する項目６３０では内三つ折りが選択され、ボタン６０９が押されており、内側印字が選択されボタン６１０が押されている。
【００６０】
バナー用紙を出力する位置を設定する項目６３２では、印刷用紙の最後が選択されボタン６０８が押されている。
【００６１】
そしてバナーの種類を設定する項目６３３では、本実施例のバナー１を選択するボタン６１５が押されている。
【００６２】
このようなＵ／Ｉ画面６０１を使用することにより、バナー要求が印刷ジョブに付加され、この印刷ジョブは、クライアントＰＣ１０からプリントサーバ３０に送られる（ステップ５０２）。
【００６３】
プリントサーバ３０に印刷ジョブが送られると、この印刷ジョブは、プリントサーバ３０のジョブ受付部３２で受け付けられ、受け付けられたジョブはジョブ管理部３３で管理され、その後制御部３７により、ジョブ処理部３４に送られる。
【００６４】
ジョブ処理部３４において、まずＵ／Ｉ画面６０１から受け付けたバナー要求を取得するバナー情報取得が行われ（ステップ５０３）、バナー用紙を出力する設定を決定するバナー情報配置が行われる（ステップ５０４）。
【００６５】
引き続きジョブ処理部３４において、Ｕ／Ｉ画面６０１より受け付けた文書に関する情報を取得する文書情報取得が行われ（ステップ５０５）、印刷用紙を出力する設定を決定する文書設定が行われる（ステップ５０６）。
【００６６】
ジョブ処理部３４においてバナー用紙と印刷用紙についての設定が決定された印刷データは、制御部３７によって印刷要求部３５に蓄積され、この印刷データは、プリンタ制御部３６より紙折り装置４１を備えたプリンタ４０に送られる。
【００６７】
そして、印刷指示を受けた紙折り装置４１を備えたプリンタ４０は、このプリンタ制御部３６からの印刷指示に基づいて文書を用紙に印刷し、印刷された用紙は紙折り装置４１により設定された折り方で折られて排紙されプリンタのトレイにストックされる（ステップ５０７）。
【００６８】
プリンタのトレイでは内三つ折りされた印刷用紙と外三つ折りされたバナー用紙が排紙されており、バナー用紙の上面にバナー情報が印字されているので、ユーザにとってバナー情報を視認しやすく仕分けもしやすい。
【実施例２】
【００６９】
本実施例においては、印刷用紙が三つ折りで排紙される時に、印刷用紙を仕分ける為のバナーの種類を、バナー用紙を出力しバナー用紙の折り方は印刷用紙と同じ三つ折りにしバナー情報をバナー用紙に外側印字で印刷させ排紙させる種類のバナー出力について説明する。
【００７０】
図７（ａ）には、印刷用紙が内三つ折りでトレイに排紙される場合において本実施例を適用したバナー出力の様子を示している。
【００７１】
矢印の向きはプリンタのトレイにストックされる順番であり、出力される用紙はバナー用紙も含めてすべて内三つ折りで排紙されている。
【００７２】
トレイ上にストックされているバナー用紙７０１の上に印刷用紙７０２が排紙されてバナー用紙７０１に重なり、次に印刷用紙７０３が排紙されて印刷用紙７０２に重なり、次に印刷用紙７０４が排紙されて印刷用紙７０３に重なり、次にバナー用紙７０５が印刷用紙７０４に重なりトレイにストックされている。
【００７３】
この状態ではバナー情報が外側印字されているので、プリンタのトレイにはバナー情報が用紙の上面に印字されたバナー用紙がストックされ、ユーザが排紙装置から印刷用紙を仕分ける時にバナー情報を視認しやすい。
【００７４】
図７（ｂ）には、用紙が紙折り装置より折られてトレイに排紙される時に、用紙の向きが図７（ａ）と上下逆になって排紙される様子を示す。
【００７５】
その際、バナー用紙も印刷用紙と同様に上下逆になって排紙されると、バナー情報が用紙の下面に印刷された状態で排紙され、ユーザが排紙装置から印刷用紙を仕分けるときにバナー情報を視認しづらい。
【００７６】
そこで、本実施例においては、印刷用紙が逆向きに排出される時でも、バナー用紙に関しては、バナー情報がバナー用紙の上面に印刷される外側印字で排紙されるように設定されており、ユーザが排紙装置から印刷用紙を仕分けるときにバナー情報を視認しやすい。
【００７７】
次に、本実施例による印刷制御処理の詳細を図５のフローチャートを参照しながら説明する。
【００７８】
まず、図１に示した印刷制御システム１００において、ユーザはクライアントＰＣ１０を通してプリントサーバ３０にＵ／Ｉ画面の表示を要求し、クライアントＰＣ１０の画面上にユーザからのバナー要求を受け付ける図８に示されるＵ／Ｉ画面６０１が表示される（ステップ５０１）。
【００７９】
画面の構成については図６において説明したＵ／Ｉ画面６０１と全く同じなので、説明は省略する。
【００８０】
印刷用紙の三つ折りの折り方を設定する項目６３０では内三つ折りが選択され、ボタン６０９が押されており、内側印字が選択されボタン６１０が押されている。
【００８１】
バナー用紙を出力する位置を設定する項目６３２では、印刷用紙の最後が選択されボタン６０８が押されている。
【００８２】
また、バナーの種類を設定する項目６３３では、本実施例のバナー２を選択するボタン６１６が押されている。
【００８３】
このようなＵ／Ｉ画面６０１を使用することにより、バナー要求が印刷ジョブに付加され、この印刷ジョブは、クライアントＰＣ１０からプリントサーバ３０に送られる（ステップ５０２）。
【００８４】
プリントサーバ３０に印刷ジョブが送られると、この印刷ジョブは、プリントサーバ３０のジョブ受付部３２で受け付けられ、受け付けられたジョブはジョブ管理部３３で管理され、その後制御部３７により、ジョブ処理部３４に送られる。
【００８５】
ジョブ処理部３４において、まずＵ／Ｉ画面６０１から受け付けたバナー要求に関する情報を取得するバナー情報取得が行われ（ステップ５０３）、バナー用紙を出力する設定を決定するバナー情報配置が行われる（ステップ５０４）。
【００８６】
引き続きジョブ処理部３４において、Ｕ／Ｉ画面６０１より受け付けた文書に関する情報を取得する文書情報取得が行われ（ステップ５０５）、印刷用紙を出力する設定を決定する文書設定が行われる（ステップ５０６）。
【００８７】
ジョブ処理部３４において、バナー用紙と印刷用紙についての設定が決定された印刷データは、制御部３７によって印刷要求部３５に蓄積され、この印刷データは、プリンタ制御部３６より紙折り装置４１を備えたプリンタ４０に送られる。
【００８８】
そして、印刷指示を受けた紙折り装置４１を備えたプリンタ４０は、このプリンタ制御部３６からの印刷指示に基づいて文書を用紙に印刷し、印刷された用紙は紙折り装置４１により設定された折り方で折られて排紙される（ステップ５０７）。
【００８９】
プリンタのトレイに内三つ折りされた印刷用紙と内三つ折りされたバナー用紙が排紙されており、バナー用紙の上面にバナー情報が印字されているので、ユーザにとってバナー情報を視認しやすく仕分けもしやすい。
【実施例３】
【００９０】
本実施例においては、印刷用紙が三つ折りされてしかも内側印字で排紙される時に、印刷用紙を仕分ける為のバナーの種類が、バナー用紙を出力しないでバナー情報を印刷用紙の裏面に外側印字させる種類のバナー出力について説明する。
【００９１】
図９（ａ）には、印刷用紙の折り方が内三つ折りでトレイに排紙される場合における本実施例を適用したバナー出力の様子を示している。
【００９２】
矢印の向きはプリンタのトレイにストックされる順番であり２つの印刷ジョブによる印刷結果が示されており、印刷用紙はすべて内三つ折りで排紙されている。
【００９３】
まず、ひとつの印刷ジョブで印刷された用紙群９０６について、テストＡ１／３と印字された印刷用紙９０１が排紙されて、次にテストＡ２／３と印字された印刷用紙９０２が排紙されて印刷用紙９０１の上に重なり、次にテストＡ３／３と印字された印刷用紙９０３が排紙されて印刷用紙９０２の上に重なっている。
【００９４】
そして次の印刷ジョブで出力された用紙群９０７については、テストＢ１／２と印字された印刷用紙９０４が排紙されて印刷用紙９０３の上に重なり、テストＢ２／２と印字された印刷用紙９０５が排紙されて印刷用紙９０４の上に重なりトレイにストックされている。
【００９５】
この状態ではバナー情報が印刷用紙の裏面に外側印字されているので、用紙の上面にバナー情報が印刷された用紙がトレイにストックされており、ユーザが排紙装置から印刷用紙を仕分ける時にバナー情報を視認しやすい。
【００９６】
図９（ｂ）には、図９（ａ）と排紙される用紙の向きが上下逆向きでトレイに排紙された状態を示す。
【００９７】
その際、印刷用紙が上下逆になって排紙されると、バナー情報が用紙の下面に印刷された状態で排紙され、ユーザが排紙装置から印刷用紙を仕分けるときにバナー情報を視認しづらい。
【００９８】
そこで、本実施例においては、印刷用紙が逆向きに排出される時でも、バナー情報が常に用紙の上面に印刷される外側印字で排紙されるように設定されており、ユーザが排紙装置から印刷用紙を仕分けるときにバナー情報を視認しやすい。
【００９９】
次に、本実施例による印刷制御処理の詳細を図５のフローチャートを参照しながら説明する。
【０１００】
まず、図１に示した印刷制御システム１００において、ユーザはクライアントＰＣ１０を通してプリントサーバ３０にＵ／Ｉ画面の表示を要求し、クライアントＰＣ１０の画面上にユーザからのバナー要求を受け付ける図１０に示されるＵ／Ｉ画面６０１が表示される（ステップ５０１）。
【０１０１】
画面の構成については図６において説明したＵ／Ｉ画面６０１と全く同じなので、説明は省略する。
【０１０２】
本実施例においては、ユーザにより、印刷用紙の折り方は内三つ折りにして、三つ折りに関するバナーの種類は本実施例のバナー３となるように選択されている。
【０１０３】
印刷用紙の三つ折りの折り方を設定する項目６３０では内三つ折りが選択され、ボタン６０９が押されており、内側印字が選択されボタン６１０が押されている。
【０１０４】
バナーの種類を設定する項目６３３では、本実施例のバナー３を選択するボタン６１７が押されている。
【０１０５】
このようなＵ／Ｉ画面６０１を使用することにより、バナー要求が印刷ジョブに付加され、この印刷ジョブは、クライアントＰＣ１０からプリントサーバ３０に送られる（ステップ５０２）。
【０１０６】
プリントサーバ３０に印刷ジョブが送られると、この印刷ジョブは、プリントサーバ３０のジョブ受付部３２で受け付けられ、受け付けられたジョブはジョブ管理部３３で管理され、その後制御部３７により、ジョブ処理部３４に送られる。
【０１０７】
ジョブ処理部３４において、まずＵ／Ｉ画面６０１から受け付けたバナー設定に関する情報を取得するバナー情報取得が行われ（ステップ５０３）、印刷用紙にバナー情報を外側印字する設定を決定するバナー情報配置が行われる（ステップ５０４）。
【０１０８】
引き続きジョブ処理部３４において、Ｕ／Ｉ画面６０１より受け付けた文書に関する情報を取得する文書情報取得が行われ（ステップ５０５）、印刷用紙を出力する設定を決定する文書設定が行われる（ステップ５０６）。
【０１０９】
ジョブ処理部３４において、印刷用紙についての設定が決定された印刷データは、制御部３７によって印刷要求部３５に蓄積され、この印刷データは、プリンタ制御部３６より紙折り装置４１を備えたプリンタ４０に送られる。
【０１１０】
そして、印刷指示を受けた紙折り装置４１を備えたプリンタ４０は、このプリンタ制御部３６からの印刷指示に基づいて文書を用紙に印刷し、印刷された用紙は紙折り装置４１により設定された折り方で折られて排紙される（ステップ５０７）。
【０１１１】
プリンタのトレイに内三つ折りされた印刷用紙が排紙されており、印刷用紙の上面にバナー情報が印字されているので、ユーザにとってバナー情報を視認しやすく仕分けもしやすい。
【実施例４】
【０１１２】
本実施例においては、印刷用紙が二つ折りで排紙される時に、印刷用紙を仕分ける為のバナーの種類を、バナー用紙を出力しバナー用紙の折り方は二つ折りにしバナー情報をバナー用紙に外側印字で印刷させ排紙させる種類のバナー出力について説明する。
【０１１３】
図１１（ａ）には、印刷用紙の折り方が二つ折りで指示された場合において本実施例を適用したバナー出力の様子を示している。
【０１１４】
矢印の向きはプリンタのトレイにストックされる順番であり、出力される用紙は二つ折りでトレイに排紙されている。
【０１１５】
トレイ上にストックされているバナー用紙１１０１の上に印刷用紙１１０２が排紙されてバナー用紙１１０１に重なり、次に印刷用紙１１０３が排紙されて印刷用紙１１０２に重なり、次に印刷用紙１１０４が排紙されて印刷用紙１１０３に重なり、次にバナー用紙１１０５が排紙されて印刷用紙１１０４に重なりトレイにストックされている。
【０１１６】
この状態ではバナー情報が外側印字されているので、プリンタのトレイにはバナー情報が用紙の上面に印字されたバナー用紙がストックされ、ユーザが排紙装置から印刷用紙を仕分ける時にバナー情報を視認しやすい。
【０１１７】
図１１（ｂ）には、図１１（ａ）と排紙される用紙の向きが上下逆向きでトレイに排紙された状態を示す。
【０１１８】
その際、バナー用紙が印刷用紙と同様に逆になって排紙されると、バナー情報が用紙の下面に印刷された状態で排紙され、ユーザが排紙装置から印刷用紙を仕分けるときにバナー情報を視認しづらい。
【０１１９】
そこで、本実施例においては、印刷用紙が逆向きに排紙される時でも、バナー用紙に関しては、バナー情報がバナー用紙の上面に印刷される外側印字で排紙されるように設定されており、ユーザが排紙装置から印刷用紙を仕分けるときにバナー情報を視認しやすい。
【０１２０】
次に、本実施例による印刷制御処理の詳細を図５のフローチャートを参照しながら説明する。
【０１２１】
まず、図１に示した印刷制御システム１００において、ユーザはクライアントＰＣ１０を通してプリントサーバ３０にＵ／Ｉ画面の表示を要求し、クライアントＰＣ１０の画面上にユーザからのバナー要求を受け付ける図１２に示されるＵ／Ｉ画面６０１が表示される（ステップ５０１）。
【０１２２】
画面の構成に関しては、図６で説明したＵ／Ｉ画面６０１と全く同じなので説明は省略する。
【０１２３】
本実施例においては、ユーザにより、印刷用紙の折り方は二つ折り内側印字にして、二つ折りに関するバナーの種類は本実施例のバナー１１となるように選択されている。
【０１２４】
印刷用紙の二つ折りの折り方を設定する項目６３１では二つ折り内側印字が選択されるので、ボタン６１８が押されている。
【０１２５】
バナー用紙を出力する位置を設定する項目６３２では、印刷用紙の最後が選択されるのでボタン６０８が押されている。
【０１２６】
そしてバナーの種類を設定する項目６３４では、本実施例のバナー１１を選択するボタン６２０が押されている。
【０１２７】
このようなＵ／Ｉ画面６０１を使用することにより、バナー要求が印刷ジョブに付加され、この印刷ジョブは、クライアントＰＣ１０からプリントサーバ３０に送られる（ステップ５０２）。
【０１２８】
プリントサーバ３０に印刷ジョブが送られると、この印刷ジョブは、プリントサーバ３０のジョブ受付部３２で受け付けられ、受け付けられたジョブはジョブ管理部３３で管理され、その後制御部３７により、ジョブ処理部３４に送られる。
【０１２９】
ジョブ処理部３４において、まずＵ／Ｉ画面６０１から受け付けたバナー要求を取得するバナー情報取得が行われ（ステップ５０３）、バナー用紙を出力する設定を決定するバナー情報配置が行われる（ステップ５０４）。
【０１３０】
引き続きジョブ処理部３４において、Ｕ／Ｉ画面６０１より受け付けた文書に関する情報を取得する文書情報取得が行われ（ステップ５０５）、印刷用紙を出力する設定を決定する文書設定が行われる（ステップ５０６）。
【０１３１】
ジョブ処理部３４において、バナー用紙と印刷用紙についての設定が決定された印刷データは、制御部３７によって印刷要求部３５に蓄積され、この印刷データは、プリンタ制御部３６より紙折り装置４１を備えたプリンタ４０に送られる。
【０１３２】
そして、印刷指示を受けた紙折り装置４１を備えたプリンタ４０は、このプリンタ制御部３６からの印刷指示に基づいて文書を用紙に印刷し、印刷された用紙は紙折り装置４１により設定された折り方で折られて排紙される（ステップ５０７）。
【０１３３】
プリンタのトレイに、二つ折りされた印刷用紙と二つ折りされたバナー用紙が排紙されており、バナー用紙の上面にバナー情報が印字されているので、ユーザにとってバナー情報を視認しやすく仕分けもしやすい。
【実施例５】
【０１３４】
本実施例においては、印刷用紙が二つ折りされてしかも内側印字で排紙される時に、印刷用紙を仕分ける為のバナーの種類を、バナー用紙を出力しないでバナー情報を印刷用紙の裏面に外側印字させる種類のバナー出力について説明する。
【０１３５】
図１３（ａ）には、印刷用紙が二つ折りされて内側印字でトレイに排紙される場合において、本実施例での印刷用紙の裏面にバナー情報を印字させ印刷用紙が排紙される様子を示している。
【０１３６】
矢印の向きはプリンタのトレイに蓄積される順番であり、２つの印刷ジョブによる印刷結果が示されており、印刷用紙がすべて二つ折りで内側印字で排紙されている。
【０１３７】
まず、ひとつの印刷ジョブで印刷された３枚の用紙群１３０６について、テストＡ１／３と印字された印刷用紙１３０１が排紙されて、次にテストＡ２／３と印字された印刷用紙１３０２が排紙されて印刷用紙１３０１の上に重なり、次にテストＡ３／３と印字された印刷用紙１３０３が排紙されて印刷用紙１３０２の上に重なっている。
【０１３８】
そして次の印刷ジョブで出力された２枚の用紙群１３０７においては、テストＢ１／２と印字された印刷用紙１３０４が排紙されて印刷用紙１３０３の上に重なり、テストＢ２／２と印字された印刷用紙１３０５が排紙されて印刷用紙１３０４の上に重なりトレイにストックされている。
【０１３９】
この状態ではバナー情報が印刷用紙の裏面に外側印字されているので、用紙の上面にバナー情報が印刷された用紙がトレイにストックされており、ユーザが排紙装置から印刷用紙を仕分ける時にバナー情報を視認しやすい。
【０１４０】
図１３（ｂ）には、図１３（ａ）と排紙される用紙の向きが上下逆向きでトレイに排紙された状態を示す。
【０１４１】
その際、バナー用紙が印刷用紙と同様に上下逆になって排紙されると、バナー情報が用紙の下面に印刷された状態で排紙され、ユーザが排紙装置から印刷用紙を仕分けるときにバナー情報を視認しづらい。
【０１４２】
そこで、本実施例においては、印刷用紙が逆向きに排出される時でも、バナー用紙に関しては、バナー情報が常に用紙の上面に印刷される外側印字で排紙されるように設定されており、ユーザが排紙装置から印刷用紙を仕分けるときにバナー情報を視認しやすい。
【０１４３】
次に、本実施例による印刷制御処理の詳細を図５のフローチャートを参照しながら説明する。
【０１４４】
まず、図１に示した印刷制御システム１００において、ユーザはクライアントＰＣ１０を通してプリントサーバ３０にＵ／Ｉ画面の表示を要求し、クライアントＰＣ１０の画面上にユーザからのバナー要求を受け付ける図１４に示されるＵ／Ｉ画面６０１が表示される（ステップ５０１）。
【０１４５】
画面の構成については図６において説明したＵ／Ｉ画面と全く同じなので、説明は省略する。
【０１４６】
本実施例においては、ユーザにより、印刷用紙は二つ折りでしかも内側印字にして、二つ折りに関するバナーの種類は本実施例のバナー１２となるように選択されている。
【０１４７】
出力文書の二つ折りの折り方を設定する項目６３４では二つ折り内側印字が選択されるので、ボタン６１８が押されている。
【０１４８】
そしてバナーの種類を設定する項目６３４では、本実施例のバナー１２を選択するボタン６２１が押されている。
【０１４９】
このようなＵ／Ｉ画面６０１を使用することにより、バナー要求が印刷ジョブに付加され、この印刷ジョブは、クライアントＰＣ１０からプリントサーバ３０に送られる（ステップ５０２）。
【０１５０】
プリントサーバ３０に印刷ジョブが送られると、この印刷ジョブは、プリントサーバ３０のジョブ受付部３２で受け付けられ、受け付けられたジョブはジョブ管理部３３で管理され、その後制御部３７により、ジョブ処理部３４に送られる。
【０１５１】
ジョブ処理部３４において、まずＵ／Ｉ画面６０１から受け付けたバナー要求を取得するバナー情報取得が行われ（ステップ５０３）、印刷用紙にバナー情報を外側印字することを決定するバナー情報配置が行われる（ステップ５０４）。
【０１５２】
引き続きジョブ処理部３４において、Ｕ／Ｉ画面６０１より受け付けた文書に関する情報を取得する文書情報取得が行われ（ステップ５０５）、印刷用紙を出力する設定を決定する文書設定が行われる（ステップ５０６）。
【０１５３】
ジョブ処理部３４において、印刷用紙についての設定が決定された印刷データは、制御部３７によって印刷要求部３５に蓄積され、この印刷データは、プリンタ制御部３６より紙折り装置４１を備えたプリンタ４０に送られる。
【０１５４】
そして、印刷指示を受けた紙折り装置４１を備えたプリンタ４０は、このプリンタ制御部３６からの印刷指示に基づいて文書を用紙に印刷し、印刷された用紙は紙折り装置４１により設定された折り方で折られて排紙される（ステップ５０７）。
【０１５５】
プリンタのトレイに、二つ折りされた印刷用紙が排紙されており、用紙の上面にバナー情報が印刷されているので、ユーザにとってバナー情報を視認しやすく仕分けもしやすい。
【産業上の利用可能性】
【０１５６】
この発明は、印刷済み用紙を三つ折りもしくは二つ折りする紙折り装置を具備した印刷装置を有する印刷制御環境において利用可能である。
【０１５７】
この発明によれば、バナー情報が印刷された三つ折りもしくは二つ折りで折られた用紙を排紙する際、排紙されてトレイにたまる用紙の上面にバナー情報が印刷されるように印刷制御されるから、排紙装置から印刷用紙を仕分ける時にバナー情報を容易に視認することができる。
【図面の簡単な説明】
【０１５８】
【図１】本発明を適用して構成した印刷制御システムの一実施例を示すブロック図。
【図２】三つ折りの折りモードを説明した説明図。
【図３】三つ折りにおける内側印字と外側印字の状態を説明した説明図。
【図４】実施例１によるバナー出力の様子を説明する説明図。
【図５】本実施例の印刷制御処理の処理フローを示すフローチャート。
【図６】実施例１で使用されるＵ／Ｉ画面。
【図７】実施例２によるバナー出力の様子を説明する説明図。
【図８】実施例２で使用されるＵ／Ｉ画面。
【図９】実施例３によるバナー出力の様子を説明する説明図。
【図１０】実施例３で使用されるＵ／Ｉ画面。
【図１１】実施例４によるバナー出力の様子を説明する説明図。
【図１２】実施例４で使用されるＵ／Ｉ画面。
【図１３】実施例５によるバナー出力の様子を説明する説明図。
【図１４】実施例５で使用されるＵ／Ｉ画面。
【符号の説明】
【０１５９】
１０−１    クライアントＰＣ
２０    ネットワーク
３０    プリントサーバ
３１    Ｕ／Ｉ表示部
３２    ジョブ受付部
３３    ジョブ管理部
３４    ジョブ処理部
３５    印刷要求部
３６    プリンタ制御部
３７    制御部
４０    紙折り装置を備えたプリンタ
４１    紙折り装置
６０１    Ｕ／Ｉ画面
【図１】
2005242464.tif 000003
【図２】
2005242464.tif 000004
【図３】
2005242464.tif 000005
【図４】
2005242464.tif 000006
【図５】
2005242464.tif 000007
【図６】
2005242464.tif 000008
【図７】
2005242464.tif 000009
【図８】
2005242464.tif 000010
【図９】
2005242464.tif 000011
【図１０】
2005242464.tif 000012
【図１１】
2005242464.tif 000013
【図１２】
2005242464.tif 000014
【図１３】
2005242464.tif 000015
【図１４】
2005242464.tif 000016